(57)【要約】【課題】  携帯電話で通話中に、両手が自由に使用出来ないことと、携帯電話のボタン操作を親指でするのが苦手な人は、片手で携帯電話本体１を持ち、もう一方の手でボタン操作するなど両手で行っている。且つ、手に持って操作となるため、高齢者などには、小さな文字やディスプレーが揺れて見にくい。【解決手段】  課題を解決するために、携帯電話本体１の側面にヒンジ３を介して携帯電話本体１の背面に肩当てプレート２を施し、ヒンジ３により肩当てプレート２を開閉可能とし、使用する場合は、肩当てプレート２を開き肩に押し当て、携帯電話本体１を耳に当てて耳と肩の間に挟み、肩を押しつけると携帯電話本体１がしっかり固定されて、手の支持がなくとも安定する構造とし、通話中でも両手は、他の事をすることが出来るように成った。  次に、肩当てプレート２を開き図４の用に、携帯電話本体１のスタンドとして使用する事で、ボタン操作を親指でするのが苦手な人や操作ボタンなどが見にくい人達には、携帯電話本体１が安定し、ディスプレーは見やすくなるし、操作ボタンは見やすく押しやすくなった。【選択図】    図７
2005151517.tif 000002
【特許請求の範囲】
【請求項１】
携帯電話本体１に肩当てプレート２を携帯電話本体１の側面にヒンジ３により支持して携帯電話本体１の背面に設けて、通話時には肩当てプレート２を開き、肩と耳の間に挟み、耳を肩側に押しつける様に強く挟み携帯電話本体１をしっかり固定して手を離すことが出来る。
携帯電話本体１を肩と耳の間に挟んで手を使わずに通話が出来ることから、通話中にも両手で別の作業が可能となる。
【請求項２】
携帯電話本体１の背面に一体化して収納されている肩当てプレート２を開いて、携帯電話本体１のディスプレーや操作盤面を上に向けて図４の様に机やテーブルなどに置いて、携帯電話本体１のスタンドとして使用する。
この姿勢は、ディスプレーや操作盤面が見やすく、携帯電話本体１が安定することから操作盤面のボタン操作が容易になる。携帯電話本体１を机などに置いたままディスプレーの確認や操作盤面のボタン操作などが片手で出来るため、従来の手に持ったまま親指での操作や両手での操作は必要なくなるので、高齢な方や親指での操作を苦手とする人には便利な機能といえる。
【発明の詳細な説明】
【技術分野】
【０００１】  本発明は、携帯電話の通話の際には肩と耳の間に挟んで両手が使えるように保持し、その他では携帯電話のスタンドとして利用できる装着品に関するものである。
【背景技術】
【０００２】  従来の携帯電話保持具やハンズフリーなどの名称の器具については多く発案されている。肩と耳の間に挟んで使用する器具も在るが、本発明の様な肩当てプレート２を携帯電話本体１の側面のヒンジ３を介して携帯電話本体１の背面に装着し、肩当てプレート２を肩にあてがう事で、携帯電話本体１を直接耳に当てて、肩で耳に押しつける方法は他に見受けられなかった。
【発明の開示】
【発明が解決しようとする課題】
【０００３】  課題は、携帯電話で通話中は、携帯電話を支持するために片手が占有されてしまうことと。携帯電話のボタン操作をする場合は、携帯電話本体１を握る手の親指で操作するように作られているため、親指での操作を苦手とする人達は片手で携帯電話本体１を持って、もう一方の手の人差し指で操作ボタンを押すなど両手を使用する人が多い、また高齢者や障害のある方には片手に持った携帯電話の操作盤は、小さく且つ安定しないため見にくく操作し難いことである。
【課題を解決するための手段】
【０００４】  前記、課題を解決するために、携帯電話本体１の側面にヒンジ３を介し携帯電話本体１の背面に肩当てプレート２を設け、ヒンジ３により背面に肩当てプレート２を開閉可能とした。
【発明の効果】
【０００５】  通話の際は肩当てプレート２を開き肩に肩当てプレート２を押し当て、携帯電話本体１を耳に当てて耳と肩の間に挟み、肩を押しつけると携帯電話本体１がしっかり固定されて、歩きながらの使用も可能で、両手での他の作業が可能となった。  通話以外の時は、肩当てプレート２を携帯電話本体１のスタンドとして使用できる。携帯電話本体１を携行する際は、肩当てプレート２を携帯電話本体１背面に折り畳んで収納するので邪魔にならない。
親指での操作ボタンの操作を苦手とし、いつも両手で操作している人たちは、机上などに置いて肩当てプレート２を図４の様にスタンドとして使用することで、安定した比較的見やすい状態で、人差し指１本で操作が可能となった。
【発明を実施するための最良の形態】
【０００６】  本発明の肩当てプレート２のヒンジ３の位置は、携帯電話本体１の側面にヒンジ３を介して携帯電話本体１の背面に肩当てプレート２を施し開閉可能とする物で、図２の様に携帯電話本体１のヒンジ３の位置に肩当てプレート２のヒンジ３がなければ成らないものではなく、体型や目的によって自由に選択することが良い。【０００７】  肩当てプレート２の材質は板状・棒状その他金属・プラスチック・ゴムなど選択して使用できる。【０００８】  肩当てプレート２の形状は、ヒンジ３を介して収納可能として、使用時は肩に引っ掛かるだけの突起が在れば良く、図５・図６の構造や形状にこだわるものではない。【０００９】  肩当てプレート２は、ヒンジ３の内側にコイルバネを内蔵し、携帯電話本体１を持ち上げると、コイルバネの力で携帯電話本体１の背面に肩当てプレート２が自動的に収納される構造である。【００１０】  肩当てプレート２は、ヒンジ３の部分に開きすぎ防止のストッパーよう突起を施している。
【実施例１】
【００１１】    通話の際は、携帯電話本体１の側面にヒンジ３を介した肩当てプレート２を開き、図７の様に肩に肩当てプレート２を押し当て、携帯電話本体１を耳に当てて耳と肩の間に挟み、肩を押しつけると携帯電話本体１がしっかり固定されて、両手での他の作業が可能となり、かつ、歩きながらの使用も可能である。【００１２】    通話以外の時は、肩当てプレート２を携帯電話本体１のスタンドとして使用できる。親指での操作ボタンの操作を苦手とし、いつも両手で操作している人たちは、机上などに置いて肩当てプレート２を図４の様にスタンドとして使用することで、安定した比較的見やすい状態で、人差し指１本で操作ができる。【００１３】    携帯電話本体１を携行する際は、肩当てプレート２を携帯電話本体１背面に折り畳んで収納するので邪魔にならない。
また、肩当てプレート２をズボン用ベルトなどに差し込んで、臨時のホルダーとしても使用できる。
【図面の簡単な説明】
【００１４】
【図１】携帯電話と肩当てプレートの使用図
【図２】折り畳み式携帯電話と肩当てプレートの使用図
【図３】折り畳み式携帯電話と肩当てプレートの収納図
【図４】折り畳み式携帯電話と肩当てプレートのスタンド使用図
【図５】携帯電話用肩当てプレートの斜図
【図６】折り畳み式携帯電話用肩当てプレートの斜図
【図７】肩当てプレートでの通話中の図
【符号の説明】
【００１５】１    携帯電話本体
２    肩当てプレート
３    ヒンジ
【図１】
2005151517.tif 000003
【図２】
2005151517.tif 000004
【図３】
2005151517.tif 000005
【図４】
2005151517.tif 000006
【図５】
2005151517.tif 000007
【図６】
2005151517.tif 000008
【図７】
2005151517.tif 000009